(57)【要約】  第１のノードにおける第１および第２の正確さ目標値を生成する方法および装置。生成された正確さ目標値は、第２のノードから送信され第１のノードで受信される無線信号の送信電力制御で使用される。無線信号は、少なくとも第１のチャネルおよび第２のチャネルを通じて送信される。本方法は、第１のチャネルの第１の品質取得値と第１のチャネルの第１の正確さ目標値との差を判別する工程と、第１の正確さ目標値を生成する工程とを備える。本方法はまた、第２のチャネルの第２の品質取得値と第２のチャネルの第２の品質目標値との第２の差を判別する工程と、第２の正確さ目標値を生成する工程とを備える。
2011507388.tif 000002
【特許請求の範囲】
【請求項１】
第２のノードから少なくとも第１のチャネルおよび第２のチャネルを通じて送信されて第１のノードで受信される無線信号の送信電力を制御するために使用される第１の正確さ目標値および第２の正確さ目標値を前記第１のノードで生成する方法であって、
前記第１のチャネルを通じて第１の信号を受信する工程と、
前記第１のチャネルについての第１の品質値を取得する工程と、
前記取得した第１のチャネルについての第１の品質値と前記第１のチャネルについての第１の品質目標値との間における第１の差を決定する工程と、
前記決定した第１の差に基づき第１の正確さ目標値を生成する工程と、
前記第２のチャネルを通じて第２の信号を受信する工程と、
前記第２のチャネルにおいて前記第２の信号が正しく受信されたことを確認する工程と、
前記第２のチャネルにおける前記第２の信号の送信試行回数を取得する工程と、
前記取得した送信試行回数を送信試行閾値と比較する工程と、
前記第２のチャネルにおける取得した前記第２の信号の送信試行回数と前記第２のチャネルにおける第２の送信試行目標値との間における第２の差を決定する工程と、
前記決定した第２のチャネルについての前記第２の差に基づき第２の正確さ目標値を生成する工程と
を備えることを特徴とする方法。
【請求項２】
前記第２のチャネルについての前記第２の正確さ目標値は、前記第１のチャネルについての前記第１の正確さ目標値から独立して生成されることを特徴とする請求項１に記載の方法。
【請求項３】
前記第２のチャネルについて決定した前記第２の差に基づき第２の正確さ目標値を生成する前記工程は、
前記第２のチャネルを通じて送信された信号についての前記送信試行回数が前記送信試行閾値を下回ると、前記第２のチャネルについての前記第２の正確さ目標値を低下させる工程、または、
前記第２のチャネルを通じて送信されたデータが正しく受信されなかった場合、もしくは、前記第２のチャネルを通じて送信された信号についての前記送信試行回数が前記送信試行閾値を超えている場合、前記第２のチャネルについての前記第２の正確さ目標値を増加させる工程
を備えることを特徴とする請求項１または２に記載の方法。
【請求項４】
前記決定した第１の差に基づき第１の正確さ目標値を生成する前記工程は、
前記第１のチャネルを通じて送信された信号の品質値が品質閾値を超えると、前記第１のチャネルについての前記第１の正確さ目標値を低下させる工程、または、
前記第１のチャネルを通じて送信された信号についての品質値が信号品質閾値を下回ると、前記第１のチャネルについての前記第１の正確さ目標値を増加させる工程
を備えることを特徴とする請求項１ないし３のいずれか１項に記載の方法。
【請求項５】
前記第１のチャネルについての前記第１の品質閾値は、サービスごとに異なるレベルの値が設定されることを特徴とする請求項１ないし４のいずれか１項に記載の方法。
【請求項６】
前記送信試行閾値は、サービスごとに異なるレベルの閾値が設定されることを特徴とする請求項１ないし５のいずれか１項に記載の方法。
【請求項７】
それぞれ異なるトランスポートブロックサイズで送信されるデータが、それぞれ異なる送信試行目標値にしたがって前記第２のチャネルを通じて送信されるよう、前記第１のチャネルに対する前記第２のチャネルについての正確さ目標値の差がトランスポートブロックサイズに依存して調整されることを特徴とする請求項１ないし６のいずれか１項に記載の方法。
【請求項８】
以前に使用されたトランスポートブロックサイズのトランスポートブロックについてだけ、前記第１のチャネルに対する前記第２のチャネルについての正確さ目標値の差が調整されることを特徴とする請求項１ないし７のいずれか１項に記載の方法。
【請求項９】
前記第２のチャネルについての前記正確さ目標値が、予め定められた連続した時間にわたって増加した場合は、前記第１のチャネルについて推定された第１の品質値が前記第１のチャネルについての前記第１の品質目標値を下回っている場合であっても、前記第１のチャネルについての前記第１の正確さ目標値を増加させることを特徴とする請求項１ないし８のいずれか１項に記載の方法。
【請求項１０】
前記第１のチャネルと前記第２のチャネルとの少なくとも一方についての前記第１の品質値は、ビット誤り率（ＢＥＲ）であり、前記第１のチャネルと前記第２のチャネルとの少なくとも一方についての前記第１の品質目標値は、ビット誤り率（ＢＥＲ）の目標値であることを特徴とする請求項１ないし９のいずれか１項に記載の方法。
【請求項１１】
前記第１のチャネルについての第１の正確さの値と前記第２のチャネルについての第２の正確さの値との少なくとも一方はＳＩＲ値であり、前記第１のチャネルについての前記第１の正確さ目標値と前記第２のチャネルについての前記第２の正確さ目標値との少なくとも一方はＳＩＲ目標値であることを特徴とする請求項１ないし１０のいずれか１項に記載の方法。
【請求項１２】
前記第２のチャネルについての第２の正確さの値は前記第１のチャネルのＳＩＲ目標値に対する電力オフセット値であり、前記第２のチャネルについての前記第２の正確さ目標値は前記第１のチャネルのＳＩＲ目標値に対する電力オフセット値であることを特徴とする請求項１ないし１１のいずれか１項に記載の方法。
【請求項１３】
前記第１のノードは、基地局であることを特徴とする請求項１ないし１２のいずれか１項に記載の方法。
【請求項１４】
前記第２のノードは、ユーザ端末であることを特徴とする請求項１ないし１３のいずれか１項に記載の方法。
【請求項１５】
前記第１のチャネルは、前記第２のチャネルを通じたシグナリングを制御するための制御チャネルであることを特徴とする請求項１ないし１４のいずれか１項に記載の方法。
【請求項１６】
前記第２のチャネルは、データチャネルであることを特徴とする請求項１ないし１５のいずれか１項に記載の方法。
【請求項１７】
第２のノードから少なくとも第１のチャネルおよび第２のチャネルを通じて送信されて第１のノードで受信される無線信号の送信電力を制御するために使用される第１の正確さ目標値および第２の正確さ目標値を生成する前記第１のノードに備えられる装置であって、
前記第１のチャネルを通じて第１の信号を受信する第１受信ユニットと、
前記第１のチャネルについての第１の品質値を取得する第１取得ユニットと、
前記取得した第１のチャネルについての第１の品質値と第１のチャネルについての第１の品質目標値との間における第１の差を決定する第１決定ユニットと、
前記決定した第１の差に基づき第１の正確さ目標値を生成する第１生成ユニットと、
前記第２のチャネルを通じて第２の信号を受信する第２受信ユニットと、
前記第２のチャネルにおいて前記第２の信号が正しく受信されたかどうかを取得する第２取得ユニットと、
前記第２のチャネルにおける前記第２の信号の送信試行回数を決定する第３決定ユニットと、
前記取得した送信試行回数を送信試行閾値と比較する比較ユニットと、
前記第２のチャネルにおける取得した前記第２の信号の送信試行回数と前記第２のチャネルについての第２の送信試行目標値との間における第２の差を決定する第２決定ユニットと、
前記決定した第２のチャネルについての前記第２の差に基づき第２の正確さ目標値を生成する第２生成ユニットと
を備えることを特徴とする装置。
【発明の詳細な説明】
【技術分野】
【０００１】
本発明は、通信システムにおける方法および装置に関し、特に、無線通信システムの少なくとも第１のチャネルおよび第２のチャネルを通じて送信される無線信号の送信電力制御で使用される正確さ目標値である、第１の正確さ目標値および第２の正確さ目標値を生成する方法および装置に関する。
【背景技術】
【０００２】
例えば符号分割多元接続（ＣＤＭＡ）などに基づく通信システムでは、所望のサービス品質目標を達成するために送信電力制御が使用されている。送信電力制御は、ダウンリンク品質目標を達成するためにユーザ装置でも、またアップリンク品質目標を達成するために基地局でも実施されてもよい。無線通信ネットワークでは、ダウンリンクが基地局からユーザ装置への伝送経路であり、アップリンクがユーザ装置から基地局への伝送経路である。無線通信システムでよく起こる無線状態の変化にかかわらず、電力制御により所望のサービス品質目標を維持できることが重要である。
【０００３】
以下に、ＣＤＭＡシステムにおけるインナーループ送信電力制御、アウターループ送信電力制御、およびそのコンバージェンス（集約化）に関する種々の技術面について説明する。本明細書で説明する方法およびデバイスは、特に広帯域符号分割多元接続（ＷＣＤＭＡ）に関連するが、例えばｃｄｍａ２０００などの他のＣＤＭＡベースの技術にも同様に適用可能であろう。その理由は、インナーループ送信電力制御もアウターループ送信電力制御も、ＣＤＭＡアクセス技術の特徴だからである。この方法はまた、ＨＳＰＡ、特に、ＥＵＬ（Ｅｎｈａｎｃｅｄ  Ｕｐ−Ｌｉｎｋ）またはＨＳＵＰＡとも呼ばれるＨＳＰＡのアップリンクの進化形態において実施されてもよい。
【０００４】
ＣＤＭＡシステムでは、高速送信電力制御とも呼ばれるインナーループ送信電力制御が、通常１ｍｓ未満（例えば、ＷＣＤＭＡでは０．６７ｍｓ）のタイムスロット毎に実行される。ＷＣＤＭＡシステムでは、インナーループ送信電力制御は、アップリンクとダウンリンクの両方で実行される。高速インナーループ送信電力制御は、受信機における的確な信号対干渉雑音比（ＳＩＲ）目標を達成するために、送信機の送信電力を調節する。アップリンクおよびダウンリンクのインナーループ送信電力制御の目的は、所望のＳＩＲ目標を維持しながら、高速フェージング効果に対抗することである。アップリンクでは、セル内の外縁に位置するユーザから受信される信号が基地局に近くに位置するユーザの強い信号に圧倒されないように、この遠近問題が送信電力制御によって補償される。スロット毎に、ユーザ装置は、何らかの既知の基準またはパイロットシンボルについてＳＩＲを推定し、それを所与のサービスに対するＳＩＲ目標（例えば、ブロック誤り率（ＢＬＥＲ）、ある種のビット誤り率（ＢＥＲ）要件、および使用拡散率等）と比較する。ＷＣＤＭＡでは、ダウンリンクＳＩＲが、パイロットビットおよび送信電力制御（ＴＰＣ）ビットを備える個別物理制御チャネル（ＤＰＣＣＨ、Dedicated Physical Control Channel）で測定される。ＴＰＣコマンドもアップリンク送信電力制御に使用され、パイロットビットは主にチャネル推定に使用される。ＳＩＲ推定値がＳＩＲ目標を下回る場合、ユーザ装置はＵＰコマンドを生成し、上回る場合、ＤＯＷＮコマンドを生成する。それに応えて、基地局は、そのダウンリンク送信電力を増加（ＵＰの場合）または減少（ＤＯＷＮの場合）する。
【０００５】
アウターループ送信電力制御の目的は、一定のリンク品質を維持しながら、前に説明したインナーループ送信電力制御で使用されるＳＩＲ目標値を調節することである。品質目標（例えば、データのＢＬＥＲ）は、ネットワークによって設定され、セッションを通して所望のサービス品質が確実に満足されるように、この目標を一貫して維持することがユーザ装置に望まれている。例えばユーザの移動性および高速フェージング等の無線リンク状態の変化のために、ＳＩＲ目標とＢＬＥＲとのマッピングは時間とともに変化する。所望のＢＬＥＲ値を維持するためにはＳＩＲ目標の頻繁な調節を必要とするので、これは重要なポイントである。ＳＩＲ目標を調節するこのメカニズムは、アウターループ送信電力制御、品質制御またはアウターループ方式とも呼ばれる。
【０００６】
ＷＣＤＭＡのＥＵＬ（ｅｎｈａｎｃｅｄ  ｕｐｌｉｎｋ）バージョンなどのシステムでは、アウターループ送信電力制御は、送信試行回数に基づいて、すなわち「目標達成に向けて定めたｘ回の送信後の、残留ブロック誤り率はｙ％であるはずである」に基づいて、品質目標を達成するように構成されている。
【０００７】
ＥＵＬチャネルに対するアップリンクアウターループ送信電力制御が、ＤＰＣＣＨのＳＩＲ目標を調節するので、規定の最大送信回数後の残留誤り率は、要求を満たしている。
【０００８】
規定の最大送信回数後に送信文が首尾よく復号されない場合、ＳＩＲ目標は例えば０．５ｄＢだけ増加される。送信が首尾よく復号される毎に、対応するＳＩＲ目標が誤り確率に反比例して減少される、例えば誤り率が２％の場合約０．０１ｄＢ減少される。
【０００９】
無線通信システムにおける大気を通じたデータの送信は、複数の異なる物理チャネル、例えば個別物理制御チャネル（ＤＰＣＣＨ）、個別物理データチャネル（ＤＰＤＣＨ）、Ｅ−ＤＣＨ個別物理制御チャネル（Ｅ−ＤＰＣＣＨ）、およびＥ−ＤＣＨ個別物理データチャネル（Ｅ−ＤＰＤＣＨ）などを使用して実行される。これらの電力消費は、ＤＰＣＣＨの電力レベルに対する電力オフセットすなわちβ値または利得係数によって、互いに関連している。
【発明の概要】
【発明が解決しようとする課題】
【００１０】
しかし、実際のデータ送信で使用される利得係数は不正確かも知れず、これは、全体のシステム性能に影響を及ぼすであろう。シミュレーションによって取得される基準利得係数かまたは他の利得係数を計算するための方法のどちらかが、不正確な利得係数という結果になるかもしれない。例えば、利得係数が所要の値を下回るとき、送信の成功を保証するために、送信試行をより多く行う必要がある。現在のＥＵＬアウターループ送信電力制御が送信試行に基づいているので、これは実際には、ＳＩＲ目標値が増加され、ＤＰＣＣＨにより多くの送信電力が割り当てられることを意味する。しかし、これは望ましくない。
【００１１】
ＷＣＤＭＡのＥＵＬに対するアウターループ送信電力制御の最先端技術による実装形態では、送信試行回数がＴＡ目標を上回るとき、ＤＰＣＣＨのＳＩＲ目標値を増加する。これは、Ｅ−ＤＰＤＣＨなどのＤＰＣＣＨに対して電力オフセットを有する他のすべてのチャネルも送信電力を増加することを意味する。
【００１２】
しかし、多くの場合に、ＴＡ目標を達成しない理由は、データチャネルであるＥ−ＤＰＤＣＨの電力が低すぎるせいであり、制御チャネルであるＤＰＣＣＨの電力が低すぎるせいではない。
【００１３】
ＤＰＣＣＨでは継続的に送信されるのに対して、Ｅ−ＤＰＤＣＨではより断続的に送信されるので、ＤＰＣＣＨでのＳＩＲ目標および送信電力の増加は、不必要に大きな干渉を引き起こす。
【００１４】
さらに、ユーザ装置についての電波到達の不良および大きな送信電力の使用という状況では、ＤＰＣＣＨが、データチャネルＥ−ＤＰＤＣＨから電力を「奪い取る」であろう。
【００１５】
さらにまた、トランスポートブロックサイズの異なるサイズに対して電力オフセットが一定である問題もある。ネットワークが、ＴＡ目標に正確に一致するように電力オフセットおよびＥ−ＴＦＣ（拡張個別チャネル・トランスポート・フォーマット・コンビネーション、Enhanced data channel transport format combination）を設定することは難しい。例えば、電力オフセットが小さすぎてＴＡ目標を達成できない場合、ＤＰＣＣＨのＳＩＲは、ＴＡ目標が達成されるまで増加されるであろう。どの電力オフセットが所望のＴＡ目標に一致しうるかを前もって知ることは難しいだろうから、これは、ＤＰＣＣＨのＳＩＲ目標の望ましくない調節に大概つながりそうであり、それによって、たぶん望ましくない干渉の増加または低すぎるＤＰＣＣＨのＳＩＲ目標に導くであろう。
【００１６】
それ故、本発明の目的は、送信電力の消費を減少し、無線通信システムの容量を改善する、ノードのメカニズムを提供することである。
【課題を解決するための手段】
【００１７】
本発明の目的は、第１の正確さ目標値および第２の正確さ目標値を生成する、第１のノードの方法によって達成される。生成された正確さ目標値は、第２のノードから送信され第１のノードで受信される無線信号の送信電力制御で使用される。無線信号は、少なくとも第１のチャネルおよび第２のチャネルを通じて送信される。本方法は、第１のチャネル上の第１の信号を受信する工程を備える。さらに、本方法は、第１のチャネルの第１の品質値を取得する工程を備える。また、本方法は、第１のチャネルの第１の品質取得値と第１のチャネルの第１の品質目標値との第１の差を確認する工程を備える。またさらに、本方法は、確認した差に基づき第１の正確さ目標値を生成する工程を備える。本方法は、第２のチャネルを通じて第２の信号を受信する工程も備える。さらに、本方法は、第２のチャネル上の第２の信号が正しく受信されたことを確認する工程も備える。また、本方法は、第２のチャネルを通じた第２の信号の送信試行回数を取得する工程を備える。さらにまた、本方法は、送信試行回数を送信試行閾値と比較する工程を備える。また、本方法は、第２のチャネルの取得した送信試行回数と第２のチャネルの第２の送信試行目標値との第２の差を確認する工程を備える。またさらに、本方法は、確認した第２のチャネルの第２の差に基づき第２の正確さ目標値を生成する工程を備える。
【００１８】
本目的は、第１の正確さ目標値および第２の正確さ目標値を生成する、第１のノードの装置によって達成される。生成された正確さ目標値は、第２のノードから送信され第１のノードで受信される無線信号の送信電力制御で使用される。この信号は、少なくとも第１のチャネルおよび第２のチャネルを通じて送信される。本装置は、第１のチャネル上の第１の信号を受信するように構成された第１の受信部を備える。また、本装置は、第１のチャネルの第１の品質値を取得するように構成された第１の取得部を備える。さらにまた、本装置は、第１のチャネルの第１の品質値と第１のチャネルの第１の品質目標値との差を確認するように構成された第１の確認部を備える。第１のノード装置は、この確認した差に基づき第１の正確さ目標値を生成するように構成された第１の生成部も備える。また、本装置は、第２のチャネルを通じて第２の信号を受信するように構成された第２の受信部を備える。本装置は、第２のチャネルの第２の信号が正しく受信されたかどうかを取得するように構成された第２の取得部を備える。さらに、本装置は、第２のチャネルを通じた第２の信号の送信試行回数を確認するように構成された第３の確認部を備える。さらにまた、本装置は、送信試行回数を送信試行閾値と比較するように構成された比較部を備える。第１のノードの装置は、送信試行回数を送信試行閾値と比較するように構成された比較部をさらに備える。本装置は、第２のチャネルの送信試行回数と第２のチャネルの第２の送信試行目標値との第２の差を確認するように構成された第２の確認部も備える。さらに、本装置は、確認した第２の差に基づき第２の正確さ目標値を生成するように構成された第２の生成部を備える。
【００１９】
本方法および本装置のおかげで、送信ノードの送信電力は、異なるチャネルに対して異なる送信電力レベルに、および／または送信されるデータユニットの異なるサイズに対して異なる送信電力レベルに、設定できよう。
【００２０】
従って、本方法および本装置の利点は、無線信号に関する電力調整の改善を達成することであり、容量特にサービス可能範囲を増大するために使用しうるエネルギリソースを節約する。さらなる利点は、前もって電力オフセットを設定する必要がないことであり、本方法では、電力オフセットが、所望の品質目標すなわち目標の達成に導く送信試行回数に向けて収束することになる。
【００２１】
本発明について、これより添付の図面との関連でより詳細に説明する。
【図面の簡単な説明】
【００２２】
【図１】無線通信ネットワークの実施形態を示すブロック図である。
【図２】シグナリングを示すブロック図である。
【図３】方法ステップの実施形態を示すフロー図である。
【図４】ノード内の装置の実施形態を示すブロック図である。
【発明を実施するための形態】
【００２３】
本発明は、以下に説明する実施形態で実践しうる方法および装置と考えてもよい。
【００２４】
図１は、無線通信システム１００において、第１のノード１１０がセル１５０内の第２のノード１２０と通信しているところを描写している。
【００２５】
いくつかの実施形態では、第１のノード１１０は、基地局、無線通信局、固定局、制御局、中継局、または無線通信のための類似の装置もしくは無線リソースを用いて通信できるその他任意の種類のデバイスでもよく、第２のノード１２０は、移動セルラ無線電話機、携帯情報端末（ＰＤＡ）、ラップトップ、コンピュータ、または無線通信のための任意の類似の装置などのユーザ装置でもよい。
【００２６】
しかしながら、いくつかの他の実施形態では、第１のノード１１０が、移動セルラ無線電話機、携帯情報端末（ＰＤＡ）、ラップトップ、コンピュータ、または無線通信のための任意の類似の装置などのユーザ装置でもよく、第２のノード１２０が、基地局、無線通信局、固定局、制御局、中継局、または無線通信のための類似の装置もしくは無線リソースを通信できるその他あらゆる種類のデバイスでもよいなど、状況はまた反対でもよい。
【００２７】
無線通信ネットワーク１００は、制御ノード１３０も備えてもよい。制御ノード１３０は、例えば無線ネットワーク制御装置（ＲＮＣ）でもよい。無線ネットワーク制御装置１３０は、無線通信ネットワーク１００の管理要素であり、無線ネットワーク制御装置１３０に接続された基地局例として第１のノード１１０の制御を担当する。無線ネットワーク制御装置１３０は、無線リソース管理と移動性管理機能の一部とを実行してもよく、ユーザデータを少なくとも１つのユーザ装置１２０との間で送受信する前に、暗号化を行いうるポイントでもよい。
【００２８】
無線通信システム１００は、例えば符号分割多元接続（ＣＤＭＡ）、広帯域符号分割多元接続（ＷＣＤＭＡ）、ＣＤＭＡ２０００、ＥＵＬ（Ｅｎｈａｎｃｅｄ  ＵｐＬｉｎｋ）およびＨＳＤＰＡ（Ｈｉｇｈ  Ｓｐｅｅｄ  Ｄｏｗｎｌｉｎｋ  Ｐａｃｋｅｔ  Ｄａｔａ  Ａｃｃｅｓｓ）を含むＨＳＰＡ（Ｈｉｇｈ  Ｓｐｅｅｄ  Ｐａｃｋｅｔ  Ａｃｃｅｓｓ）、ＣＤＭＡ２０００のＥＶＤＯバージョン等のような技術に基づいてもよい。
【００２９】
無線信号は、第２のノード１２０から無線リンク１４０を通じて送信され、第１のノード１１０で受信される。信号の電力は、大きすぎたり小さすぎたりして通信に適さないことがあり、例えば、高速送信電力制御とも呼ばれるインナーループ送信電力制御の実行などによって、第１のノード１１０で調節できる。インナーループ送信電力制御は、第１のノード１１０から第２のノード１２０へ送信される信号、すなわちダウンリンク信号と、第２のノード１２０から第１のノード１１０へ送信される信号、すなわちアップリンク信号との両方で実行されてもよい。アップリンクおよびダウンリンクのインナーループ送信電力制御の目的は、所望のＳＩＲ目標を維持しながら、特に高速フェージング効果に対抗することである。それはまた、セル内の外縁のユーザから受信する信号がより強い信号に圧倒されないように、近遠問題も確実に補償する。
【００３０】
第２のノード１２０は、例えばパイロットシンボルなどの例えば既知の基準信号の例えばＳＩＲ値などのコレクトネス（正確さ）値を推定し、それを例えばある種のＢＥＲ要件、使用の拡散率等の所与のサービス品質目標に対応するＳＩＲ目標と比較してもよい。
【００３１】
例えばＷＣＤＭＡでは、パイロットおよびアップリンク送信電力制御用のＴＰＣコマンドビットを備える個別物理制御チャネル（ＤＰＣＣＨ）で、ダウンリンクＳＩＲが測定されてもよい。ＳＩＲ測定値がＳＩＲ目標を下回る場合、第１のノード１１０のインナーループ送信電力制御がＵＰコマンドを生成し、それを第２のノード１２０に送信してもよく、ＳＩＲ測定値がＳＩＲ目標を上回る場合、第１のノード１１０のインナーループ送信電力制御はＤＯＷＮコマンドを生成し、それを第２のノード１２０に送信してもよい。それに応えて、第２のノード１２０は、そのダウンリンク送信電力をＵＰコマンドの場合は増加し、ＤＯＷＮコマンドの場合は減少する。
【００３２】
アウターループ送信電力制御は、所望のサービス品質目標を満足するために、第１のノード１１０および／または第２のノード１２０で使用される。アウターループ送信電力制御は、アップリンク品質目標を満足するために第１のノード１１０でも、ダウンリンク品質目標を満足するために第２のノード１２０でも実施されてもよい。無線通信システム１００でよく起こる無線状態の変化にかかわらず、アウターループが所望のサービス品質目標を維持できることは重要である。
【００３３】
アウターループ送信電力制御は、一定のリンク品質を維持するために使用されてもよい。品質目標はネットワーク１００で設定されてもよく、セッションを通して所望のサービス品質が確実に満足されるように、この目標を一貫して維持することが第１のノード１１０に望まれている。例えばＢＥＲ目標またはＢＬＥＲ目標などの品質目標の値は、音声、パケットデータ、映像データ等のようなサービスのタイプに依存してもよく、これは、インナーループ送信電力制御に使用される例えばＳＩＲ目標などの正確さ目標に影響を与える。従って、無線リンクの目標の品質を提供するために適切な電力レベルが、通常の信号の無線信号状態の間、容易に達成される。
【００３４】
しかし、第１のノード１１０で実行される方法ステップのどれか、いくつか、または全部さえ、第１のノード１１０と制御ノード１３０との間で分散されてもよい。従って、本方法によるいくつかの方法ステップは、完全にまたは少なくともある程度、制御ノード１３０で実行されてもよい。
【００３５】
図２は、本方法による第１のノード１１０と第２のノード１２０との間のある時間シーケンス内のシグナリングを示すブロック図である。シグナリングは、例えば第１のチャネル２４０および第２のチャネル２３０などの複数のチャネルを通じて行われてもよい。第１のチャネル２４０は、例えばＤＰＣＣＨなどの制御チャネルでもよい。第２のチャネル２３０は、例えばＥ−ＤＰＤＣＨなどのデータチャネルでもよい。第２のノード１２０から第１のノード１１０へ、例えば第１のチャネル２４０および第２のチャネル２３０を通じて送信される信号の例えばＳＩＲ目標などの正確さ目標の調節が、第１のノード１１０で行われる。いくつかの実施形態によれば、チャネル２３０、２４０を通じて送信される信号の例えばＳＩＲ目標などの正確さ目標が、互いに無関係に調節される。
【００３６】
第２のノード１２０から第１のチャネル２４０を通じて送信される無線信号の送信電力を調節するための調節コマンドを生成するさらなる工程が、インナーループ送信電力制御または高速ループ送信電力制御で実行されてもよい。
【００３７】
第１のチャネル２４０を通じて送信される信号の送信電力レベルは、生成されたＳＩＲ目標値などの第１の正確さ目標値との関連で変更されてもよく、第１の正確さ目標値は、第２のノード１２０から第１のチャネル２４０を通じて送信される無線信号の送信電力を調節するための調節コマンドを生成するインナーループ送信電力制御で使用されてもよい。
【００３８】
しかし、いくつかの実施形態によれば、生成されたＳＩＲ目標値などの第１のチャネル２４０の第１の正確さ目標値は、第１のチャネル２４０を通じて送信された信号の品質推定値が特定の限界値を上回るかまたは下回る場合だけ調節される。
【００３９】
Ｌ１＜ｑ＜Ｌ２の場合  ＳＩＲ目標値を変更しない
ｑ＜Ｌ１の場合  ＳＩＲ目標値を増加する
Ｌ２＜ｑの場合  ＳＩＲ目標値を減少する
ここで、ｑは第１のチャネル２４０の例えばＢＥＲ値などの品質推定値であり、Ｌ１は下限値であり、Ｌ２は上限値である。
【００４０】
また別の実施形態によれば、第１のチャネルの正確さ目標はまた、いわゆるジャンプアルゴリズムを用いて調節されてもよい。
【００４１】
図示のシナリオでは、第２のノード１２０が、時間ｔ＝１に第２のチャネル２４０を通じて第１のノード１１０にデータ２０１の送信を開始する。本方法によれば、第１のノード１１０は、信号を受信し、信号が以前送信されていたかどうかをチェックし、送信されていなかった場合、送信試行を１に設定してもよい。また、送信試行回数は、送信試行閾値と比べられてもよい。また、第１のノード１１０において、第２のチャネル２３０を通じて受信したデータが正しく受信されたか、それとも誤って受信されたかが管理される。この管理は、例として冗長検査例えばＣＲＣの実行などによって行われてもよい。データが誤って受信されており、送信試行回数が送信試行目標値を超える場合、例えばＳＩＲ目標または電力オフセット調節コマンドなどの第２のチャネル２３０の正確さ目標値が、第１のノード１１０から第２のノード１２０へ送信される。第２のチャネルの正確さ目標値の増加の結果として、第２のノード１２０が、第２のチャネル２３０の送信電力を増加し、ｔ＝２でデータ２０３を再送信する。第１のノード１１０は、データを第２のチャネル２３０を通じて受信し、送信試行回数を２に更新してもよい。さらに、送信試行回数は、送信試行閾値と比べられてもよい。また、第１のノード１１０において、第２のチャネル２３０を通じて受信したデータが正しく受信されたか、それとも誤って受信されたかが管理される。この管理は、例として冗長検査例えばＣＲＣの実行などによって、行われてもよい。この場合もやはり、データが誤って受信され、それで第１のノード１１０が、電力調節コマンドを生成する。第２のチャネル２３０の正確さ目標値２０４が、第１のノード１１０から第２のノード１２０へ送信される。
【００４２】
第２のノード１２０は、第２のチャネルの正確さ目標値の増加に起因して第２のチャネル２３０の送信電力を増加し、ｔ＝３でデータ２０５を再送信する、などである。
【００４３】
本発明の方法の利点は、図２に示されるように、第２のチャネル２３０の正確さ目標値が第１のチャネルの正確さ目標値を同時に調節することなしに調節しうるので、不必要な干渉の増加を回避しうることである。
【００４４】
図３は、第１のノード１１０における、例えばＳＩＲ目標値などの第１の正確さ目標値および第２の正確さ目標値を生成する方法を示すフロー図である。第１の正確さ目標値および第２の正確さ目標値は、例えばＳＩＲ目標値でもよい。生成された正確さ目標値は、第２のノード１２０から送信され第１のノード１１０で受信される無線信号の送信電力を調節するために使用されてもよい。一例として、第１のチャネル２４０からの正確さ目標値は、インナーループ送信電力制御に使用されてもよい。データが第２のチャネル２３０を通じて送信されると、第２のチャネルの送信電力が、第１のチャネルの正確さ目標および第２のチャネルの正確さ目標に基づいて計算されてもよい。また、信号は、少なくとも第１のチャネル２４０および第２のチャネル２３０を通じて送信される。生成された正確さ目標値は、第１のノード１１０から第１のノード１１０へ送信される。
【００４５】
前述のように、第１のノード１１０は基地局でもよく、第２のノードは移動機でもよい。しかし、いくつかの実施形態によれば、第１のノード１１０は移動機でもよく、第２のノード１２０は基地局でもよい。
【００４６】
第１のチャネル２４０は、第２のチャネル２３０を通じたシグナリングを制御および／または検出および／または復号するように適合された、例えばＤＰＣＣＨなどの制御チャネルでもよい。第２のチャネル２３０は、例えばＥ−ＤＰＤＣＨなどのデータチャネルでもよい。第１および第２の正確さ目標値を適切に生成するために、本方法は、相当数のステップ３０１〜３１０を備えてもよい。しかし、記載の方法ステップのいくつかはオプションであり、いくつかの実施形態の中にだけ備えられることに注意すべきである。また、本方法ステップ３０１〜３１０は、任意の時間順に実行されてもよいので、それらのいくつか例えばステップ３０１およびステップ３０５は、あるいは全部のステップでさえも、同時に、または変更された時間順に、または完全に逆の時間順にさえも実行されてもよいことに注意すべきである。本方法は以下のステップを備える。
【００４７】
ステップ３０１
第１のノード１１０が、第１のチャネル２４０で第１の信号を受信する。第１のチャネル２４０の第１の信号は、第２のノード１２０から送信される。第１の信号は、第１のノード１１０で受信される。信号は、例えば第２のチャネルのデータを復号するために使用されるチャネルを推定するために使用されるパイロットビットなどを備えてもよい。
【００４８】
ステップ３０２
第１のノード１１０は、第１のチャネル２４０の第１の品質値を取得する。品質値は、フレーム誤り率（ＦＥＲ）、ブロック誤り率（ＢＬＥＲ）、ビット誤り率（ＢＥＲ）または故障確率などの他の適切な尺度などの、任意の誤り率計算方式に基づいてもよい。いくつかの実施形態によれば、ビット誤り率（ＢＥＲ）は、使用するのに特に有利である。従って、本方法で使用する品質目標は、ビット誤り率、ブロック誤り率またはフレーム誤り率に基づいてもよく、ここで、ビット誤り率、ブロック誤り率またはフレーム誤り率は、例えば周期的冗長検査（ＣＲＣ）またはシグナリング品質などを使用して測定される。しかし、品質目標はまた、本方法のいくつかの実施形態では、ＴＰＣコマンド誤りおよび／またはパイロットビットに基づいてもよく、対応するダウンリンク品質は受信したＴＰＣコマンドに基づいて測定されてもよい。
【００４９】
第１のチャネル２４０の第１の品質値を取得する工程は、いくつかの実施形態では、第１のチャネル２４０の第１の品質値の推定を行うことで実行されてもよい。いくつかの実施形態によれば、それはまた、別のノードから第１のチャネル２４０の第１の品質値を受信することで行われてもよい。
【００５０】
ステップ３０３
第１のノード１１０は、第１のチャネル２４０の第１の品質取得値と第１のチャネル２４０の第１の品質目標値との第１の差を決定する。この差は、第１のチャネル２４０の第１の品質取得値を第１のチャネル２４０の第１の品質目標値と比較することによって決定されてもよい。第１のチャネル２４０の第１の品質目標値は、いくつかの実施形態によれば、異なるサービスに対して異なる値を有してもよい。品質目標値の値はサービスのタイプに依存してもよく、サービスのタイプはというと、上記で説明のようにインナーループ送信電力制御で使用されるＳＩＲ目標に影響を与える。限定しない例として、ＢＥＲ目標１％が音声に使用されてもよく、ＢＥＲ目標１０％がパケットデータに使用されてもよく、ＢＥＲ目標０．１％がテレビ電話に使用されてもよい、などである。
【００５１】
ステップ３０４
第１のノード１１０は、前述の決定された第１の品質差に基づき、第１の正確さ目標値を生成する。生成する第１の正確さ目標値は、ＳＩＲ目標値でもよい。
【００５２】
第１の正確さ目標値は、単なる非限定の例として、ジャンプアルゴリズムによって例えば以下のように、生成されてもよい。
【００５３】
【数１】
2011507388.tif 000003
【００５４】
ＳＩＲｔは、ＳＩＲ目標を示し、ＢＥＲｔは目標ビット誤り率であり、ＳＩＲｓは、目標ＳＩＲが各繰り返しで増加される大きさである。ＳＩＲｓは実施に依存し、例えば受信データユニットにつき０．５ｄＢまたは１ｄＢでもよい。
【００５５】
誤りのあるデータユニットに対するＳＩＲ目標の増加は、データユニットが正しく受信されるときのＳＩＲ目標の減少幅よりはるかに大きい。このように、ＳＩＲ目標の減少はＢＥＲ目標に連結されており、ＢＥＲ目標は例えばネットワークが設定してもよい。
【００５６】
第１の正しさ目標を生成する別の例は、例えば以下のようでもよい。
【００５７】
Ｌ１＜ｑ＜Ｌ２の場合  ＳＩＲ目標は変更されない。
【００５８】
ｑ＜Ｌ１の場合  例えばＳＩＲｉｎｃでＳＩＲ目標を増加する。
【００５９】
Ｌ２＜ｑの場合  例えばＳＩＲｄｅｃでＳＩＲ目標を減少する。
【００６０】
ステップ３０５
第１のノード１１０は、第２のチャネル２３０を通じて第２の信号を受信する。第２の信号は、特定のトランスポートブロックサイズで送信されたデータを備えてもよい。トランスポートブロックサイズは、異なるデータに対して変わってもよい。
【００６１】
ステップ３０６
第１のノード１１０は、第２のチャネル信号が正しく受信されているかどうかを確認する。第２のチャネルが正しいか、それとも正しくないかは、例えばＣＲＣなどの任意のデータ品質アルゴリズムによって推定されてもよい。正確さ管理の実施は、いくつかの実施形態によれば、異なるサービスに対して異なってもよい。
【００６２】
ステップ３０７
いくつかの実施形態によれば、第２のチャネル２３０を通じた第２の信号の送信試行回数が取得されてもよい。第２のチャネル２３０を通じた第２の信号の送信試行回数を取得するオプションのステップは、いくつかの実施形態によれば、送信試行回数を数えることによって実行されてもよい。従って、第２の信号の第２の品質値は、第２のチャネルを正しく復号するために必要な送信試行回数でもよい。
【００６３】
ステップ３０８
いくつかの実施形態によれば、送信試行回数は、送信試行閾値と比較されてもよい。送信試行閾値は、いくつかの実施形態によれば、異なるトランスポートブロックサイズのデータブロックに対して異なる値でもよい。
【００６４】
送信試行閾値は、いくつかの実施形態によれば、異なるサービスに対して異なる値でもよい。
【００６５】
ステップ３０９
第１のノード１１０は、第２のチャネル２３０の送信試行回数取得値と第２のチャネル２３０の送信試行目標値との第２の差を決定する。この差は、第２のチャネル２３０の送信試行回数を第２のチャネル２３０の送信試行目標値と比較することで決定されてもよい。第２のチャネル２３０の送信試行目標値は、いくつかの実施形態によれば、異なるサービスに対して異なる値でもよい。このように、第２のチャネルの品質は送信試行回数でもよく、第２のチャネルの品質目標は送信試行目標回数でもよい。
【００６６】
ステップ３１０
第１のノード１１０は、決定された第２のチャネル２３０の第２の差または品質に基づき、第２の正確さ目標値を生成する。第２のチャネル２３０の第２の正確さ目標値は、ＳＩＲ目標値でもよい。しかし、いくつかの実施形態によれば、第２のチャネル２３０の第２の正確さ目標値は、第１のチャネル２４０の第１のＳＩＲ目標値に対する電力オフセット目標値でもよい。
【００６７】
例えば第２のチャネル２３０の送信試行回数などの品質が、例えば送信試行目標などの品質目標を上回るかまたは下回る場合、第２のチャネル２３０の正確さ目標は調節される必要がありうる。第２のチャネル２３０の正確さ目標の調節は、第１のチャネル２４０に対する電力オフセットの調節かまたは第２のチャネル２３０のＳＩＲ目標のどちらかでよい。チャネル２３０の電力オフセットまたはＳＩＲ目標を調節するための調節コマンドは、第１のノード１１０から第２のノード１２０へ伝達されてもよい。ＳＩＲ目標または調節コマンドの送信は、例えば通常の標準Ｅ−ＴＦＣＩシグナリングを使用して、または未使用の制御チャネルビットフィールドもしくは新しい制御チャネルを使用してなどの、複数のやり方で行われてもよい。
【００６８】
従って、第２のチャネル２３０を通じて送信された信号が正しく受信されないか、または例えば送信試行回数が送信試行閾値を上回るなどの特定の品質閾値を下回る品質値を有する場合に、第２のチャネル２３０の例えばＳＩＲ目標などの第２の正確さ目標の増加値または第１のチャネル２４０に対する電力オフセットの増加値が、生成されてもよい。これは、例えば次のアルゴリズムで示されてもよい。
【００６９】
ＵＥ電力オフセット＝ＵＥ電力オフセット＋調節
第２のチャネル２３０を通じて送信されたデータが正しく受信されるか、もしくは特定の品質閾値を上回る品質値を有する場合、または送信試行回数が送信試行閾値を下回る場合に、第２のチャネル２３０の例えばＳＩＲ目標などの第２の正確さ目標の減少値または第１のチャネル２４０に対する電力オフセットの減少値が、生成されてもよい。これは、例えば次のアルゴリズムで示されてもよい。
【００７０】
ＵＥ電力オフセット＝ＵＥ電力オフセット−調節
第２のチャネル２３０のＳＩＲ目標が正確さの値として使用される場合、次のアルゴリズムで電力オフセットを達成することが可能である。
【００７１】
電力オフセット＝Ｅ−ＤＰＤＣＨのＳＩＲ目標−ＤＰＣＣＨのＳＩＲ目標（電力オフセット＝Ｅ−ＤＰＤＣＨ＿ＳＩＲ＿Ｔａｒｇｅｔ−ＤＰＣＣＨ＿ＳＩＲ＿ｔａｒｇｅｔ）
その場合、第２のチャネルの送信電力は次のようでもよい。
【００７２】
送信電力＝ＤＰＣＣＨ電力＋電力オフセット（Ｔｘ＿ｐｏｗｅｒ＝ＤＰＣＣＨ＿ｐｏｗｅｒ＋Ｐｏｗｅｒ＿Ｏｆｆｓｅｔ）
第１のチャネル２４０に対する第２のチャネル２３０の送信電力レベルの差は、いくつかの実施形態にいれば、トランスポートブロックサイズ（より具体的には、ＷＣＤＭＡではＥ−ＴＦＣＩ）に依存して調節されてもよい。従って、異なるトランスポートブロックサイズで送信されるデータは、異なる送信電力オフセットまたはＳＩＲ目標を有して、第２のチャネル２３０を通じて送信されてもよい。さらに、いくつかの実施形態によれば、第１のチャネル２４０に対する第２のチャネル２３０の送信電力オフセットの差は、以前に使用されたトランスポートブロックサイズのトランスポートブロックに関してだけ調節される。特定のトランスポートブロックサイズに関する電力オフセットの調節は、隣接のトランスポートブロックが送信されない場合でさえ、他の近隣のトランスポートブロックサイズにも影響を及ぼしてもよい。例えばトランスポートブロックにわたる電力オフセット間／ＳＩＲ目標間のある種の補間を使用して、影響を及ぼしてもよい。
【００７３】
いくつかの実施形態によれば、第１のチャネル２４０のＳＩＲ目標は、第２のチャネル２３０の電力オフセットレベルまたは正確さ目標レベルが所定の連続回数を上回って増加する場合、第１のチャネル２４０の品質推定値が第１のチャネル２４０の品質目標を下回る場合でさえ、増加されてもよい。これらの実施形態は、ワインドアップ(wind-up)状況に成るのを防止、または回避、または少なくとも弱めるために実施されてもよい。
【００７４】
ワインドアップ状況は、ＳＩＲ目標が一方向に無限に増加または減少する場合を指す。最終的には、これは、送信電力が各チャネルに割り当てられた最大送信電力値または最小送信電力値のどちらかに達する状況に導くであろう。これは、不安定な動作であり、それ故、回避されなければならない。それ故、ある種の利点を有するワインドアップに対する保護が第１のノード１１０で実施されてもよい。ワインドアップを検出しワインドアップ対抗手段を作動させる主目的は、ＳＩＲ目標の無限のまたは不必要な増加または減少を制限することである。
【００７５】
図４は、ノード内の装置の実施形態を示すブロック図である。第１のノード１１０において方法ステップ３０１〜３１０を実行するために、第１のノード１１０は、図４に描写される装置４００を備える。
【００７６】
装置４００は、第１のノード１１０に置かれ、第１の正確さ目標値および第２の正確さ目標値を生成する。生成された目標値は、第２のノード１２０から送信され、第１のノード１１０で受信される無線信号の送信電力制御で使用される。無線信号は、少なくとも第１のチャネル２４０および第２のチャネル２３０などの複数のチャネル２３０、２４０を通じて送信される。本装置４００は、第１のチャネル２４０で第１の信号を受信するように構成された第１の受信部４１０を備える。
【００７７】
さらに、本装置４００は、第１のチャネル２４０の品質値を取得するように構成された第１の取得部４２０を備える。取得部４２０は、いくつかの実施形態によれば、測定、計算および／または推定によって第１のチャネル２４０の品質値を定めるように構成されてもよい。
【００７８】
また、本装置４００は、第１のチャネル２４０の品質取得値と第１のチャネル２４０の品質目標値との差を決定するように構成された第１の判別部４３０を備える。従って、第１の判別部４３０は、第１のチャネル２４０の品質取得値を第１のチャネル２４０の品質目標値と互いに比較し、差を検出するように構成されてもよい。第１の判別部４３０は、差の大きさおよび／または大きさの差が正か負かを検出するようにさらに構成されてもよい。
【００７９】
さらにまた、本装置４００は、品質取得値と品質目標値との前述の決定した差に基づいて、第１の正確さ目標値例えばＳＩＲ目標値を生成するように構成された第１の生成部４４０を備える。
【００８０】
装置４００は、第２のチャネル２３０を通じて第２の信号を受信するように構成された第２の受信部４５０をさらに備える。
【００８１】
また、本装置４００は、第２のチャネル２３０を通じて受信した第２の信号が正しく受信されたかどうかを判定するように構成された第２の判別部４６０を備える。
【００８２】
さらにまた、本装置４００は、第２のチャネル２３０の第２の品質値と第２のチャネル２３０の第２の品質目標値との第２の差を決定するように構成された第３の判別部４９０を備える。
【００８３】
またさらに、本装置４００は、前述の決定した差に基づいて、例えばＳＩＲ目標値などの第２の正確さ目標値を生成するように構成された第２の生成部４９５を備える。
【００８４】
いくつかの実施形態によれば、本装置４００は、第２のチャネル２３０を通じた第２の信号の送信試行回数を取得するように構成された第３の取得部４７０を備えてもよい。第２の取得部４７０は、またいくつかの実施形態によれば、送信試行回数を測定、計算または推定するように構成されてもよい。
【００８５】
いくつかの実施形態によれば、本装置４００は、送信試行回数を送信試行閾値と比較するように構成された比較部４８０を備えてもよい。
【００８６】
本方法および本装置は、複数のチャネル２３０、２４０の送信電力レベルを高速かつ正確に調節するメカニズムを実施するので、本方法は、無線通信システム１００のＥＵＬ（Ｅｎｈａｎｃｅｄ  Ｕｐｌｉｎｋ）やＨＳＵＰＡ（Ｈｉｇｈ−Ｓｐｅｅｄ  Ｕｐｌｉｎｋ  Ｐａｃｋｅｔ  Ａｃｃｅｓｓ）などの技術に、特に有利に使用しうる。
【００８７】
本方法および本装置の記述では、主にそして単なる例として、基地局１１０のアップリンク送信電力制御を重点的に取り上げている。しかし、本方法および本装置はまた、例として第２のノード１２０がソフトハンドオーバ中に、例えば基地局制御装置または無線ネットワーク制御装置（ＲＮＣ）１３０で一部、実行されてもよい。
【００８８】
さらに例としておよび理解を簡単にするために、信号対雑音干渉比を表現するとき、ＳＩＲという用語を本文では一貫して使用しているが、この信号対雑音干渉比は、所望の信号のレベルと背景雑音および信号妨害との比である。比が大きければ大きいほど、背景雑音は目立たなくなる。しかし、例えば信号対雑音比（ＳＮＲまたはＳ／Ｎ）、信号対雑音干渉比（ＳＮＩＲ）、キャリア対干渉比（ＣＩＲ）、信号対干渉雑音比（ＳＩＮＲ）などのような同じもしくは類似の比、または干渉対信号比（ＩＳＲ）のような比の逆数を表現するために時折使用される他の頭字語がある。これらまたは類似の比のいずれも、本明細書の文脈では、ＳＩＲの代わりに使用されてもよい。
【００８９】
本方法による、基地局１１０から第１のチャネル２４０および第２のチャネル２３０を通じて送信される無線信号の送信電力を調節する方法は、本方法の機能を実行するコンピュータプログラムコードとともに、図４に描写の装置４００のプロセッサ４３０または４９０などの１つ以上のプロセッサによって実施されてもよい。そのプログラムコードはまた、例として第１のノード１１０および／または第２のノード１２０にロードされるとき、本発明による方法を実行するコンピュータプログラムコードを運ぶデータ担体の形態の、コンピュータプログラム製品として提供されてもよい。データ担体は、ＣＤ  ＲＯＭディスク、メモリスティック、またはマシンで読み取り可能なデータを保持しうるディスクまたはテープなどの他のどんな記憶媒体でもよい。コンピュータプログラムコードは、さらに、サーバ上で純然たるプログラムコードとして提供され、遠隔から第１のノードおよび／または第２のノード１２０にダウンロードされてもよい。
【００９０】
本明細書に記載の方法および装置は種々の変更形態および代替形態を受け入れることができるが、その特定の実施形態について、例として図面に示し、本文で詳細に説明している。しかし、本方法および本装置を開示の特定の形態に限定する意図がないどころか、本方法および本装置が、特許請求の範囲に規定される本方法および本装置の精神および範囲内に入るすべての変更形態、均等物および代替形態を網羅することは理解されるべきである。
【００９１】
同様の参照番号は、図面の描写全部を通じて同様の要素を表す。
【００９２】
本明細書で使用する限り、単数形の「１つの」（“ａ”“ａｎ”）および「その」（“ｔｈｅ”）は、明白に違うように示されない限り、複数の形態も含むことを意図している。用語「備える」（“ｃｏｍｐｒｉｓｅｓ” および／または“ｃｏｍｐｒｉｓｉｎｇ”）は、本明細書で使用するとき、述べられた特徴、数、ステップ、動作、要素および／またはコンポーネントの存在を指定するが、１つ以上の他の特徴、数、ステップ、動作、要素、コンポーネントおよび／またはこれらのグループの存在または追加を除外しないと解釈されることが、さらに理解されるべきである。さらに、要素が別の要素に「接続されている」（“ｃｏｎｎｅｃｔｅｄ”）または「結合されている」（“ｃｏｕｐｌｅｄ”）と言及されるとき、他の要素に直接接続または直接結合されてもよいし、介在要素が存在してもよいことが理解されるであろう。
【００９３】
さらに、本明細書で使用する限り、「接続されている」または「結合されている」は、無線での接続または結合を含んでもよい。本明細書で使用する限り、用語「および／または」（“ａｎｄ／ｏｒ”）は、関係する１つ以上の列挙項目の任意およびすべての組み合わせを含む。
【００９４】
別に規定されない限り、本明細書で使用する技術用語および科学用語を含むすべての用語は、これらの方法および装置が属する分野の業者が共通に理解するのと同じ意味を有する。一般に使用される辞書で定義されている用語などの用語は、関連分野の状況においても、それらの意味と一貫している意味を有すると解釈されるべきであり、本明細書で明示的にそのように定めない限り理想的または過度に正式な意味で解釈されないことが、さらに理解されるであろう。
【００９５】
例証目的で、本方法および本装置の実施形態について、ユーザ装置１１０および基地局１２０の文脈で述べている。しかし、本方法および本装置がそのような実施形態に限定されず、その中に無線信号伝播手段を含む任意の電子デバイスとして一般に具体化されてもよいことは、理解されるであろう。
【図１】
2011507388.tif 000004
【図２】
2011507388.tif 000005
【図３】
2011507388.tif 000006
【図４】
2011507388.tif 000007
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
第２のノードから少なくとも制御チャネルおよびデータチャネルを通じて送信されて第１のノードで受信される無線信号の送信電力を制御するために使用される第１の正確さ目標値および第２の正確さ目標値を前記第１のノードで生成する方法であって、前記制御チャネルは、前記データチャネルを通じたシグナリングを制御するためのチャネルであり、
前記方法は、
前記制御チャネルを通じて第１の信号を受信する工程と、
前記制御チャネルについての第１の品質値を取得する工程と、
前記取得した制御チャネルについての第１の品質値と前記制御チャネルについての第１の品質目標値との間における第１の差を決定する工程と、
前記決定した第１の差に基づき第１の正確さ目標値を生成する工程と、
前記データチャネルを通じて第２の信号を受信する工程と、
前記データチャネルにおいて前記第２の信号が正しく受信されたことを確認する工程と、
前記データチャネルにおける前記第２の信号の送信試行回数を取得する工程と、
前記取得した送信試行回数を送信試行閾値と比較する工程と、
前記データチャネルにおける取得した前記第２の信号の送信試行回数と前記データチャネルにおける第２の送信試行目標値との間における第２の差を決定する工程と、
前記決定したデータチャネルについての前記第２の差に基づき第２の正確さ目標値を生成する工程と
を備えることを特徴とする方法。
【請求項２】
前記データチャネルについての前記第２の正確さ目標値は、前記制御チャネルについての前記第１の正確さ目標値から独立して生成されることを特徴とする請求項１に記載の方法。
【請求項３】
前記データチャネルについて決定した前記第２の差に基づき第２の正確さ目標値を生成する前記工程は、
前記データチャネルを通じて送信された信号についての前記送信試行回数が前記送信試行閾値を下回ると、前記データチャネルについての前記第２の正確さ目標値を低下させる工程、または、
前記データチャネルを通じて送信されたデータが正しく受信されなかった場合、もしくは、前記データチャネルを通じて送信された信号についての前記送信試行回数が前記送信試行閾値を超えている場合、前記データチャネルについての前記第２の正確さ目標値を増加させる工程
を備えることを特徴とする請求項１または２に記載の方法。
【請求項４】
前記決定した第１の差に基づき第１の正確さ目標値を生成する前記工程は、
前記制御チャネルを通じて送信された信号の品質値が品質閾値を超えると、前記制御チャネルについての前記第１の正確さ目標値を低下させる工程、または、
前記制御チャネルを通じて送信された信号についての品質値が信号品質閾値を下回ると、前記制御チャネルについての前記第１の正確さ目標値を増加させる工程
を備えることを特徴とする請求項１ないし３のいずれか１項に記載の方法。
【請求項５】
前記制御チャネルについての前記第１の品質閾値は、サービスごとに異なるレベルの値が設定されることを特徴とする請求項１ないし４のいずれか１項に記載の方法。
【請求項６】
前記送信試行閾値は、サービスごとに異なるレベルの閾値が設定されることを特徴とする請求項１ないし５のいずれか１項に記載の方法。
【請求項７】
それぞれ異なるトランスポートブロックサイズで送信されるデータが、それぞれ異なる送信試行目標値にしたがって前記データチャネルを通じて送信されるよう、前記制御チャネルに対する前記データチャネルについての正確さ目標値がトランスポートブロックサイズに依存して調整されることを特徴とする請求項１ないし６のいずれか１項に記載の方法。
【請求項８】
以前に使用されたトランスポートブロックサイズのトランスポートブロックについてだけ、前記制御チャネルに対する前記データチャネルについての正確さ目標値が調整されることを特徴とする請求項１ないし７のいずれか１項に記載の方法。
【請求項９】
前記データチャネルについての前記正確さ目標値が、予め定められた連続した時間にわたって増加した場合は、前記制御チャネルについて推定された第１の品質値が前記制御チャネルについての前記第１の品質目標値を下回っている場合であっても、前記制御チャネルについての前記第１の正確さ目標値を増加させることを特徴とする請求項１ないし８のいずれか１項に記載の方法。
【請求項１０】
前記制御チャネルと前記データチャネルとの少なくとも一方についての前記第１の品質値は、ビット誤り率（ＢＥＲ）であり、前記制御チャネルと前記データチャネルとの少なくとも一方についての前記第１の品質目標値は、ビット誤り率（ＢＥＲ）の目標値であることを特徴とする請求項１ないし９のいずれか１項に記載の方法。
【請求項１１】
前記制御チャネルについての第１の正確さの値と前記データチャネルについての第２の正確さの値との少なくとも一方はＳＩＲ値であり、前記制御チャネルについての前記第１の正確さ目標値と前記データチャネルについての前記第２の正確さ目標値との少なくとも一方はＳＩＲ目標値であることを特徴とする請求項１ないし１０のいずれか１項に記載の方法。
【請求項１２】
前記第１のノードは、基地局であることを特徴とする請求項１ないし１１のいずれか１項に記載の方法。
【請求項１３】
前記第２のノードは、ユーザ端末であることを特徴とする請求項１ないし１２のいずれか１項に記載の方法。
【請求項１４】
第２のノードから少なくとも制御チャネルおよびデータチャネルを通じて送信されて第１のノードで受信される無線信号の送信電力を制御するために使用される第１の正確さ目標値および第２の正確さ目標値を生成する前記第１のノードに備えられる装置であって、前記制御チャネルは、前記データチャネルを通じたシグナリングを制御するためのチャネルであり、
前記システムは、
前記制御チャネルを通じて第１の信号を受信する第１受信ユニットと、
前記制御チャネルについての第１の品質値を取得する第１取得ユニットと、
前記取得した制御チャネルについての第１の品質値と制御チャネルについての第１の品質目標値との間における第１の差を決定する第１決定ユニットと、
前記決定した第１の差に基づき第１の正確さ目標値を生成する第１生成ユニットと、
前記データチャネルを通じて第２の信号を受信する第２受信ユニットと、
前記データチャネルにおいて前記第２の信号が正しく受信されたかどうかを取得する第２取得ユニットと、
前記データチャネルにおける前記第２の信号の送信試行回数を決定する第３決定ユニットと、
前記取得した送信試行回数を送信試行閾値と比較する比較ユニットと、
前記データチャネルにおける取得した前記第２の信号の送信試行回数と前記データチャネルについての第２の送信試行目標値との間における第２の差を決定する第２決定ユニットと、
前記決定したデータチャネルについての前記第２の差に基づき第２の正確さ目標値を生成する第２生成ユニットと
を備えることを特徴とする装置。
【国際調査報告】
2011507388.tif 000008
2011507388.tif 000009
2011507388.tif 000010
2011507388.tif 000011